(57)【要約】【課題】皺や破れ、剥れを生じさせることなく封印シールを簡単にきれいに貼り付けることができるようにした遊技機用制御基板収納ケースを提供することである。【解決手段】ケース本体３１の開口を閉塞する薄板状の蓋３２のシール貼着部位にケース本体３１側に突出する突出壁３９を設ける。突出壁３９の外表面に蓋３２の平坦な外表面３２ａに滑らかに連続し、曲率半径が蓋３２の板厚以上とされた曲面４１と、その曲面４１の端から接線方向に延びてケース本体３１の周壁３４外面の延長面となる平面４２とを形成し、その突出壁３９の外表面とケース本体３１の周壁３４に跨るようにして封印シール５０を貼着する。【選択図】図７
2010253165.tif 000002
【特許請求の範囲】
【請求項１】
端板の外周に周壁が形成され、その周壁内に制御基板が収容されたケース本体と、そのケース本体の開口を閉塞する薄板状の蓋とからなり、前記ケース本体と蓋のそれぞれ外表面に跨って封印シールが貼着される遊技機用制御基板収納ケースにおいて、
前記蓋の少なくともシール貼着部位にケース本体側に突出する突出壁を設け、その突出壁の外表面に蓋の平坦な外表面に滑らかに連続する曲面と、その曲面の端から接線方向に延びてケース本体の周壁外面の延長面となる平面とを形成し、前記曲面の曲率半径を蓋の板厚以上としたことを特徴とする遊技機用制御基板収納ケース。
【発明の詳細な説明】
【技術分野】
【０００１】
この発明は、パチンコ機やスロットマシン等の遊技機の遊技動作を制御する制御基板の収納ケースに関する。
【背景技術】
【０００２】
遊技板の中央部にセンター役物を取付け、そのセンター役物に設けられた開口の後方に液晶表示装置等の図柄表示装置を配置し、上記センター役物の下方に設けられた始動入賞口に遊技球が入賞した際、図柄表示装置の表示パネルに図柄の変動表示を所定時間行わせ、複数の特別図柄が特定の停止表示態様で停止表示された時、大当たり遊技状態として、特別可変入賞装置の入口を塞いでいた扉を予め定められた作動条件に従って開閉させるようにしたパチンコ機においては、その背面側に複数の制御基板が取付けられている。
【０００３】
制御基板には、遊技動作を制御する主制御基板、その主制御基板に電気を供給する電源基板、遊技球の払出しを制御する払出し制御基板、遊技球の発射を制御する発射制御基板、図柄表示装置の図柄を変動表示させる図柄制御基板、ランプの点滅を制御するランプ制御基板、サウンドの出力を制御するサウンド制御基板、役物機構のアクチュエータを制御する役物制御基板等が存在する。
【０００４】
これらの各種の制御基板は、普通、透明な収納ケース内に収容され、その収納ケースの取付けによって装着状態とされる。ここで、遊技動作を制御する主制御基板においては、ＲＯＭが交換されると、当初認められた遊技内容と異なる遊技内容を実行することになる。このような不正行為を防止する目的から、特許文献１に記載のように、収納ケースを形成するケース本体と薄板状の蓋に跨るようにして封印シールを貼付けるようにしている。
【０００５】
ここで、封印シールは片面に粘着剤層を有し、加圧により接着し得るようになっている。この封印シールとしては、特許文献１に記載されているように、収納ケースへの貼着状態で、その収納ケース側に染料色を残すようにしたものや、積層構造体とされて、一度剥がされると、層間剥離や部分剥離が生じて当初の状態に復元させることができず、また、収納ケース側に剥離痕が残り、不正行為がされたかどうか判別し得るようにしたもの等があり、いずれの封印シールも腰が強く、不完全に接着されると、折れ曲がり部の復元弾性により自然に剥れるおそれがある。また、封印シールには、製造メーカを特定し得るように、会社名等が文字印刷されている。
【先行技術文献】
【特許文献】
【０００６】
【特許文献１】特開平１０−１５１９７号公報
【発明の概要】
【発明が解決しようとする課題】
【０００７】
ところで、上記特許文献１に記載された制御基板収納ケースにおいては、薄板状の蓋の表面外周にエッジが設けられているため、封印シールの両端を摘みもって一端を蓋に接着し、その一端の接着部位から他端に向けて順次押し付けていく貼り付け方法を採用した場合に、エッジの位置で急激に押し付け方向が変換されるので、そのエッジと対向する部位に皺や浮き上がりが生じ易く、きれいに貼り付けることが困難であり、ときには、エッジに対する擦れによって破れが生じるおそれがあった。
【０００８】
その問題点の解決には、蓋の外周角部に円弧面を形成することが有効であると考えられるが、蓋は薄肉厚であるため、その厚み以上の大きな円弧面を形成することができず、封印シールの折れ曲がり部位での復元弾性力を大幅に弱めることができない。このため、折れ曲がり部位での接着が不完全であると、その部位から剥離が生じるおそれがある。
【０００９】
この発明の課題は、皺や破れ、剥れを生じさせることなく封印シールを簡単にきれいに貼り付けることができるようにした遊技機用制御基板収納ケースを提供することである。
【課題を解決するための手段】
【００１０】
上記の課題を解決するために、この発明においては、端板の外周に周壁が形成され、その周壁内に制御基板が収容されたケース本体と、そのケース本体の開口を閉塞する薄板状の蓋とからなり、前記ケース本体と蓋のそれぞれ外表面に跨って封印シールが貼着される制御基板収納ケースにおいて、前記蓋の少なくともシール貼着部位にケース本体側に突出する突出壁を設け、その突出壁の外表面に蓋の平坦な外表面に滑らかに連続する曲面と、その曲面の端から接線方向に延びてケース本体の周壁外面の延長面となる平面とを形成し、前記曲面の曲率半径を蓋の板厚以上とした構成を採用したのである。
【００１１】
ここで、突出壁は、板片状のものであってもよく、あるいは、ケース本体の周壁と同一形状で同一大きさの環状のものであってもよい。突出壁を板片状とする場合は、ケース本体の周壁開口端に、その突出壁が嵌合される切欠部を形成して、蓋を取付けた際に、周壁の開口端面に蓋が密着する取付け状態が得られるようにしておく。
【００１２】
突出壁を板状片とし、その突出壁の外面に曲面を形成すると、上記曲面の外側に溝が形成されることになるため、封印シールを所定の位置に正確に、簡単に貼り付けることができる。
【発明の効果】
【００１３】
上記のように、この発明においては、蓋にケース本体側に突出する突出壁を設けたことにより、突出壁の外面に蓋の肉厚より大きな曲率半径の曲面を形成することができる。このため、封印シールを蓋とケース本体に跨って貼着した場合に、封印シールの折れ曲がり長さを長くとることができ、折れ曲がり部位での復元弾性力が弱く、曲面での封印シールの貼着が仮に不完全な場合であっても、剥離を完全に防止することができる。
【００１４】
また、突出壁に蓋の平坦な外表面に滑らかに連続する曲面と、その曲面の端から接線方向に延びてケース本体の周壁外面の延長面となる平面とを形成したことにより、封印シールの両端を摘み持って一端を蓋に接着し、その一端の接着部位から他端に向けて封印シールを指先で順次押し付けていく貼り付けの際に、指先をシール接着面に沿ってスムーズに移動させていくことができ、皺や破れを生じさせることなく、また、気泡を形成させることなく封印シールを簡単にきれいに貼り付けることができる。
【図面の簡単な説明】
【００１５】
【図１】この発明に係る制御基板収納ケースが取り付けられたパチンコ機の正面図
【図２】図１に示すパチンコ機の背面から見た状態の概略図
【図３】この発明に係る制御基板収納ケースを示す斜視図
【図４】図３のIV−IV線に沿った断面図
【図５】図３の一部を拡大して示す正面図
【図６】図５のVI−VI線に沿った断面図
【図７】制御基板収納ケースの分解斜視図
【発明を実施するための形態】
【００１６】
以下、この発明の実施の形態を図面に基づいて説明する。図１に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００１７】
中枠３の表側には、上皿５を有する前面枠４が設けられている。前面枠４は、ガラス板等の透明な板体の周囲に縁枠を設けた構成とされ、その一側部が中枠３に軸支されて開閉自在とされ、閉鎖状態において中枠３の前面を覆うようになっている。その前面枠４の下側に下皿７を有する皿板６が設けられている。
【００１８】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に支持された遊技盤１０の遊技領域１１に発射されるようになっている。
【００１９】
遊技盤１０はガイドレール１２を前面に有し、そのガイドレール１２の内側が遊技領域１１とされている。遊技領域１１には、遊技球の落下方向を分散、調整するための多数の釘１３や風車１４、液晶表示装置等からなる図柄表示装置１５、始動入賞口１６、特別可変入賞装置１７等の遊技部品が取付けられている。
【００２０】
ここで、遊技領域１１に発射された遊技球が、その遊技領域１１に落下して始動入賞口１６に入賞すると、図柄表示装置１５の表示パネルに特別図柄の変動表示が所定時間行われ、複数の特別図柄が特定の停止表示態様で停止表示されると、大当たり遊技状態が発生し、特別可変入賞装置１７の入口を塞いでいた扉１７ａが予め定められた作動条件に従って開閉するようになっている。
【００２１】
図２は、パチンコ機を背面から見た状態の概略を示し、その背面側には複数の制御基板が設けられているが、ここでは、遊技動作を制御する主制御基板２０、その主制御基板２０に電気を供給する電源基板２１、遊技球の払出しを制御する払出し制御基板２２、図柄表示装置１５の図柄を変動表示させる図柄制御基板２３のみを示し、他の制御基板については省略している。
【００２２】
各制御基板は、収納ケース内に収容されて保護されている。主制御基板２０のように、ＲＯＭが交換されると、当初認められた遊技内容と異なる遊技内容を実行することになる。その不正行為を防止するため、主制御基板２０のように、不正行為がされてはならない制御基板（以下、単に制御基板Ｘという）を収容する制御基板収納ケースには封印シールが貼り付けられる。
【００２３】
図３乃至図７は、封印シールが貼り付けられる制御基板収納ケース３０を示す。この制御基板収納ケース３０は、ケース本体３１と蓋３２とからなる。ケース本体３１は、矩形の端板３３の外周に周壁３４を設けた構成とされ、上記端板３３の内面には制御基板Ｘを支持する複数の突出部３５が形成されており、全体が透明な樹脂により成形されている。制御基板Ｘは、突出部３５にねじ込むビスの締付けにより固定される。なお、ケース本体３１には多数の放熱孔が形成されているが図では省略している。
【００２４】
一方、蓋３２は、ケース本体３１の周壁３４と同形状で同一大きさの薄肉厚の板体からなり、透明な樹脂により成形されている。蓋３２は、ケース本体３１の突出部３５にねじ込むビスの締付けにより、制御基板Ｘと共にケース本体３１に固定され、その固定によって周壁３４の開口を密閉するようになっている。
【００２５】
蓋３２の内面には、制御基板Ｘの外周部を押える環状の突出部３７が形成され、その突出部３７はケース本体３１に形成された上記周壁３４の開口部内周に対して嵌合可能とされている。また、蓋３２には、多数の放熱孔３８が形成されている。
【００２６】
ケース本体３１内に制御基板Ｘを収容し、蓋３２をねじ止めする収納ケース３０の組立て状態において、ケース本体３１と蓋３２に跨るようにして封印シール５０が貼着される。
【００２７】
実施の形態においては、図３に示すように、蓋３２の対向する一対の長辺部のそれぞれの長さ方向の一部に合計２枚の封印シール５０を貼り付けるようにしており、上記蓋３２には、そのシール貼着部位にケース本体３１側に突出する突出壁３９が設けられている。
【００２８】
突出壁３９は、板片状をなし、その幅寸法は封印シール５０の幅寸法より少し大きくなっている。この板片状の突出壁３９はケース本体３１における周壁３４の開口端に形成された切欠部４０に対して嵌合可能とされている。
【００２９】
突出壁３９の外面には、蓋３２の平坦な外表面３２ａに滑らかに連続する曲面４１と、その曲面４１の端から接線方向に延びて蓋３２の外表面と直交する平面４２とが形成され、上記曲面４１の曲率半径ｒは蓋３２の板厚ｔ以上とされている。また、その曲面４１に続く平面４２はケース本体３１の周壁３４外面の延長面を形成するようになっている。
【００３０】
ここで、封印シール５０として、粘着剤層を片面に有し、会社名等の文字印刷が施されたものが使用されている。その封印シール５０の貼り付けに際しては、封印シール５０の両端を摘み持って一端を蓋３２の外表面に接着し、その一端の接着部位から他端に向けて封印シール５０を指先で順次押し付けていくようにする。
【００３１】
このとき、蓋３２のシール接着部位には突出壁３９が形成され、その突出壁３９には、蓋３２の平坦な外表面３２ａに滑らかに連続する曲率半径の大きな曲面４１と、その曲面４１の端から接線方向に延びてケース本体３１の周壁３４外面の延長面となる平面４２とが形成されているため、指先をシール接着面に沿ってスムーズに、しかも、空気を押し出す状態で移動させていくことができる。このため、皺や破れを生じさせることなく、また、気泡を形成させることなく封印シール５０を簡単にきれいに貼り付けることができる。
【００３２】
また、突出壁３９に形成された曲面４１の曲率半径ｒは蓋３２の板厚ｔ以上の大きさであるため、封印シール５０の貼着状態で、封印シール５０の折れ曲がり長さを長くとることができる。このため、封印シール５０の折れ曲がり部位での復元弾性力が弱く、上記曲面４１に対する接着が仮に不完全な場合であっても、封印シール５０は剥離するようなことはない。
【００３３】
実施の形態においては、突出壁３９として板片状のものを示したが、ケース本体３１の周壁３４と同一形状で同一大きさの環状のものであってもよい。実施の形態で示すように、突出壁３９を板片状とすると、曲面４１の外側に溝４３が形成されることになるため、封印シール５０を所定の位置に正確に、簡単に貼り付けることができる。
【符号の説明】
【００３４】
Ｘ・・・制御基板、３１・・・ケース本体、３２・・・蓋、３３・・・端板、３４・・・周壁、３９・・・突出壁、４０・・・切欠部、４１・・・曲面、４２・・・平面、５０・・・封印シール
【図１】
2010253165.tif 000003
【図２】
2010253165.tif 000004
【図３】
2010253165.tif 000005
【図４】
2010253165.tif 000006
【図５】
2010253165.tif 000007
【図６】
2010253165.tif 000008
【図７】
2010253165.tif 000009